(57)【要約】【課題】  表示装置において、表示におけるコントラストを高める。【解決手段】  透明材料からなり、液体が内部の孔に浸透可能な透明多孔質層１０と、透明多孔質層１０の一面側に積層された着色層２０と、透明多孔質層１０における厚さ方向と直交する面内の互いに異なる領域を個別に加熱可能な加熱手段３０とを備え、加熱手段３０の面状ヒータ３２ｂにより加熱された透明多孔質層１０中の領域Ｒｂに浸透している液体４０を、透明多孔質１０中の加熱されていない領域Ｒａ、Ｒｃに排出し、透明多孔質層１０中の液体４０が浸透している領域Ｒａ、Ｒｃが透明となり透明多孔質層１０を通してこの透明多孔質層１０の一面側に積層された着色層２０が表示され、透明多孔質層１０中の液体４０が排出された領域Ｒｂが不透明となり透明多孔質層１０が表示されるようにする。【選択図】          図４
2005156813.tif 000002
【特許請求の範囲】
【請求項１】
透明材料からなり、液体が内部の孔に浸透可能な透明多孔質層と、該透明多孔質層の内部の孔に浸透可能な液体と、前記透明多孔質層の一面側に積層された着色層と、前記透明多孔質層における該透明多孔質層の厚さ方向と直交する面内に沿って並ぶ複数の部分領域を個別に加熱可能な加熱手段とを備え、
前記透明多孔質層中の部分領域を前記加熱手段により加熱していないときには、該部分領域中の前記孔に前記液体が浸透して該部分領域が透明となり該部分領域を通して前記着色層が表示され、前記透明多孔質層中の部分領域を前記加熱手段により加熱しているときは、該部分領域中の前記孔から前記液体が排出されて該部分領域が不透明となり該部分領域を通して前記着色層が表示されるように構成されていることを特徴とする表示装置。
【請求項２】
前記透明多孔質層の複数の部分領域のそれぞれに対応する前記着色層の複数の部分領域が、互いに異なる色に着色されていることを特徴とする請求項１記載の表示装置。
【請求項３】
前記透明多孔質層の前記着色層の側とは反対側であって、該透明多孔質層の前記複数の部分領域に対応する複数の位置のそれぞれに、互いに異なる色の色フィルタが配置され、かつ、前記着色層が黒色に着色されていることを特徴とする請求項１記載の表示装置。
【発明の詳細な説明】
【技術分野】
【０００１】
本発明は表示装置に関するものである。
【背景技術】
【０００２】
従来より、種々の平板状の表示装置、たとえば液晶表示装置、有機ＥＬ表示装置、電子ペーパ等が知られている。例えば、電子ペーパとしては、多数の微粒子を含む液体を内包したマイクロカプセルを２次元状に配列して各マイクロカプセル毎に個別に電界を作用させ、白色を表示するときにはマイクロカプセル中の白色の微粒子を電界の作用により表示側に移動させ、黒色を表示するときにはマイクロカプセル中の黒色の微粒子を電界の作用により表示側に移動させて画像を形成する電子ペーパが知られている（特許文献１参照）。
【特許文献１】特開２０００−６６２４７号公報
【発明の開示】
【発明が解決しようとする課題】
【０００３】
このような表示装置は、装置の厚さを薄くできる点では優れているが、表示のコントラストが十分に得られないという問題を有している。例えば、上記電子ペーパにおいては、表示領域内の表示に利用されない領域が多く存在し、例えば、上記マイクロカプセルに入射した照明光を多数の微粒子で反射して白色を表示させるときに、微粒子間の隙間に照明光が吸収されて白色の輝度が低下したり、あるいは、マイクロカプセル間の隙間に照明光が吸収されて光の利用効率が低下し消光比が小さくなって表示のコントラストが低下するという問題がある。
【０００４】
本発明は、上記事情に鑑みてなされたものであり、表示におけるコントラストを高めることができる表示装置を提供することを目的とするものである。
【課題を解決するための手段】
【０００５】
本発明の表示装置は、透明材料からなり、液体が内部の孔に浸透可能な透明多孔質層と、この透明多孔質層の内部の孔に浸透可能な液体と、前記透明多孔質層の一面側に積層された着色層と、透明多孔質層におけるこの透明多孔質層の厚さ方向と直交する面内に沿って並ぶ複数の部分領域を個別に加熱可能な加熱手段とを備え、前記透明多孔質層中の部分領域を加熱手段により加熱していないときには、この部分領域中の前記孔に液体が浸透して該部分領域が透明となり該部分領域を通して着色層が表示され、前記透明多孔質層中の部分領域を加熱手段により加熱しているときは、この部分領域中の前記孔から液体が排出されて該部分領域が不透明となり該部分領域を通して着色層が表示されるように構成されていることを特徴とするものである。
【０００６】
なお、「透明多孔質層の一面側に積層された」とは、透明多孔質層に密着して積層された場合に限らず、他の層を介して透明多孔質層の一面側に積層された場合、さらには、空間を介して透明多孔質層の一面側に積層された場合をも意味する。
【０００７】
前記透明多孔質層の複数の部分領域のそれぞれに対応する着色層の複数の部分領域は、互いに異なる色に着色された領域とすることができる。すなわち、それぞれが前記透明多孔質層の複数の部分領域のそれぞれに対応する着色層の複数の部分領域は、互いに異なる色に着色された領域とすることができる。
【０００８】
前記透明多孔質層の前記着色層の側とは反対側であって、この透明多孔質層の複数の部分領域に対応する複数の位置のそれぞれに、互いに異なる色の色フィルタが配置し、かつ、この着色層を黒色に着色されたものとすることができる。
【発明の効果】
【０００９】
本発明の表示装置によれば、透明材料からなり、液体が内部の孔に浸透可能な透明多孔質層と、透明多孔質層の内部の孔に浸透可能な液体と、透明多孔質層の一面側に積層された着色層と、透明多孔質層におけるこの透明多孔質層の厚さ方向と直交する面内に沿って並ぶ複数の部分領域を個別に加熱可能な加熱手段とを備え、透明多孔質層中の部分領域を加熱手段により加熱していないときには、上記部分領域中の孔に液体が浸透してこの部分領域が透明となり該部分領域を通して着色層が表示され、上記透明多孔質層中の部分領域を加熱手段により加熱しているときは、上記部分領域中の孔から液体が排出されてこの部分領域が不透明となり該部分領域を通して着色層が表示されるようにしたので、表示領域の全体に対する表示に利用されない領域、例えば、従来のような、表示に利用されない微粒子間の隙間、あるいは、マイクロカプセル間の隙間が存在しないので、上記表示領域中における透明多孔質層あるいは着色層が表示されない領域を少なくすることができ、これにより光の利用効率を高め消光比を高くすることができるので、表示される画像のコントラストを高めることができる。
【００１０】
また、上記透明多孔質層の複数の部分領域のそれぞれに対応する着色層の複数の部分領域を、互いに異なる色に着色すれば、カラー画像の表示を行なうことができる。
【００１１】
なお、上記透明多孔質層の着色層の側とは反対側であって、この透明多孔質層の上記複数の部分領域に対応する複数の位置のそれぞれに、互いに異なる色の色フィルタを配置し、かつ、着色層を黒色に着色してもカラー画像の表示を行なうことができる。
【発明を実施するための最良の形態】
【００１２】
以下、本発明の第１の実施の形態の表示装置について、図面を用いて説明する。図１は第１の実施の形態の表示装置の概略構成を示す斜視図、図２は加熱手段の概略構成を示す斜視図、図３は上記表示装置を図１中の矢印Ｊ方向から見た断面図、図４は透明多孔質層中の液体が移動して画像が表示される様子を上記図１中の矢印Ｊ方向から見た断面図、図５は面状ヒータに印加する電圧と透明多孔質層の反射率との関係を示す図である。
【００１３】
図示の第１の実施の形態の表示装置１０１は、透明材料からなり、液体が内部の孔に浸透可能な透明多孔質層１０と、透明多孔質層１０の内部の孔に浸透可能な液体４０と、透明多孔質層１０の一面側に積層された着色層２０と、透明多孔質層１０におけるこの透明多孔質層１０の厚さ方向（図中矢印Ｚ方向）と直交する面内に沿って並ぶ複数の部分領域を個別に加熱可能な加熱手段３０とを備えている。
【００１４】
透明多孔質層１０は、屈折率１．４７の無色透明なメンブレンフィルタであり、平均孔径が３０μｍ、厚さ１５０μｍの多孔質膜であるミクロフィルタ（富士写真フィルム株式会社製）が採用されている。なお、ミクロフィルタの平均孔径は、例えば０．３μｍとしてもよい。
【００１５】
加熱手段３０は、透明なガラス基板３１と、このガラス基板３１上にマトリクス状に配置された、縦２００μｍ、横２００μｍの透明材料からなる多数の透明な面状ヒータ３２と、各面状ヒータ３２に接続されたアルミニウムからなる電極３３ｙ、３３ｘと、電極３３ｙ、３３ｘと接続された各面状ヒータ３２に電力を供給するためのワード線３４ｙとビット線３４ｘとからなる加熱層３５、および、ワード線３４ｙとビット線３４ｘを通して上記各面状ヒータ３２に供給する電力をパッシブ方式によりヒータ毎に個別に制御する加熱制御部３６を備えている。なお、上記透明な面状ヒータ３２の材料としてはインジウムチタン酸化物（ＩＴＯ）、ジンク酸化物等を用いることができる。なお、透明多孔質層１０と着色層２０との間に上記加熱層３５が配置されており、透明多孔質層１０の着色層２０の側とは反対側が表示側（図中矢印Ｈ１で示す）となっている。
【００１６】
着色層２０は黒色に着色されており、例えば、黒色に塗装された樹脂板等を用いて構成することができる。
【００１７】
透明多孔質層１０に浸透している液体４０は、上記透明多孔質層１０と略等しい屈折率を有するオルガノシラン（商品名オルガノシラン：ＡＹ４３−０４０：東レ・ダウコーニング・シリコーン株式会社製）を用いることができる。
【００１８】
なお、図３は、面状ヒータ３２によって加熱されることなく、透明多孔質層１０中に液体４０が均一に浸透している様子を示している。
【００１９】
透明多孔質層１０中の部分領域を加熱手段３０により加熱していないときには、この部分領域中の孔に液体４０が浸透し、透明多孔質層１０中の部分領域を加熱手段３０により加熱しているときは、この部分領域中の孔から液体４０が排出される。すなわち、図４に示すように、加熱手段３０の加熱制御部３６の制御により面状ヒータ３２ｂによって加熱された透明多孔質層１０中の部分領域である領域Ｒｂに浸透していた液体４０は、透明多孔質層１０中の加熱されていない領域、例えば面状ヒータ３２ａ、３２ｃの位置に対応する領域Ｒａ、Ｒｃへ熱毛管力の作用によって排出される。
【００２０】
なぜなら、透明多孔質層１０は温度によって毛管力が変化するので、透明多孔質層１０中に温度分布が生じると、温度が異なる領域間において毛管力に差が生じ、液体４０が透明多孔質層１０中を毛管力が小さい領域から毛管力が大きい領域へ移動するからである。
【００２１】
ここで、透明多孔質層１０中の液体４０が排出された上記領域Ｒｂは不透明となり、白色の照明光Ｌａで照明された透明多孔質層１０が上記照明光Ｌａを乱反射してこの透明多孔質層１０が白色に表示される。一方、透明多孔質層１０中の液体４０が浸透している領域Ｒａ、Ｒｃは透明多孔質層１０と液体４０との屈折率整合により透明となり、照明光Ｌａが透明多孔質層１０および加熱層３５を通って黒色の着色層２０に入射し吸収されて、これらの領域Ｒａ、Ｒｃが黒色に表示される。このように、加熱制御部３６の制御により、透明多孔質層１０中の各領域を透明にしたり不透明にしたりすることにより白黒の画像を表示させることができる。
【００２２】
上記のように、表示領域全体に対する表示に利用されない領域、すなわち透明多孔質層１０あるいは着色層２０が表示されない領域を少なくすることができるので、光の利用効率を高め消光比を高くすることができ、表示される画像のコントラストを高めることができる。
【００２３】
また、加熱制御部３６の制御により、例えば、面状ヒータ３２ｂに供給する電力を増加させてこの面状ヒータ３２ｂからの発熱量を増大させると、この発熱量の増大にともなって、面状ヒータ３２ｂが対応する透明多孔質層１０中の領域Ｒｂの毛管力が低下し、この領域Ｒｂから他の領域に向けて排出される液体４０の量が多くなる。これにより、領域Ｒｂにおける反射率が高くなり、この領域Ｒｂ入射した上記白色の照明光Ｌａの反射光量が増大し、領域Ｒｂにおける輝度を変化させることができるので、階調を有する画像の表示を行うことができる。
【００２４】
ここで、上記表示装置を用いて測定した、面状ヒータの発熱とこの面状ヒータの位置に対応する透明多孔質層中の領域における反射率との関係について説明する。図５は面状ヒータに印加した電圧に対する透明多孔質層の反射率の変化を示す図である。
【００２５】
図５から読み取れるように、面状ヒータに電圧を印加していないときには透明多孔質層の反射率は略０であるが、面状ヒータに印加する電圧を高くするに従って透明多孔質層の反射率が高くなり、表示させる画像の階調を正確に制御することができることがわかる。なお、上記印加電圧の上昇および下降を繰り返し実施しても上記特性の再現性が高く、階調の制御性は良好である。また、印加電圧２５ボルトにおける反射率が約０．１１で、このときのコントラストは、正反射光抜きで１：１３となり高いコントラストが得られた。
【００２６】
さらに、上記画像では、紙と同等の質感を有するメンブレンフィルタ、すなわち、多孔質膜であって、内部に液体を含まない状態（乾燥状態）において入射光を表面で散乱させることにより白色に見えるメンブレンフィルタでの光の反射（散乱）によって白色が表示されるため、従来の表示装置における評価、例えば、反射率、コントラスト、輝度、色度域等とは異なる定量測定の困難な評価、例えば、質感、ホワイト種類、エッジギャザ等において良好な性能を得ることができる。すなわち、上記表示装置は、定量化できないが人が好ましいと感じる表示を行うことができ、従来の表示装置の欠点である視認ストレスを著しく緩和することができる。さらに、構成が単純であり、かつ構成材料も安価なので装置コストを低減することができる。
【００２７】
以下、上記透明な面状ヒータを使用した上記第１の実施の形態における表示装置１０１の一部を変更した例を示す。図６は発熱線を２次元状に配置して構成した上記面状ヒータの代わりに使用可能なヒータを示す断面図、図７は透明多孔質層の表示側に封止用のカバーガラスを配置した表示装置の構成を示す断面図、図８は透明多孔質層の表示側に互いに異なる色の色フィルタを配置した表示装置の構成を示す断面図、図９は複数種類の色に着色された着色層を備えた表示装置の構成を示す断面図である。
【００２８】
図６に示すように発熱線を２次元状に配置して構成した、実質的に透明とみなせる面状のヒータを上記面状ヒータの代わりに用いるようにしてもよく、上記発熱線を２次元状に配置した構成としては、例えば、図６（ａ）に示すように発熱線を格子状に配置したもの、図６（ｂ）に示すように発熱線をミアンダ状に配置したもの、あるいは図６（ｃ）に示すように発熱線を渦巻き状に配置したもの等を採用することができる。
【００２９】
また、図７に示すように、上記透明多孔質層１０の表示側（図中矢印Ｈ１で示す）に封止用のカバーガラス７０を配置するようにしてもよく、さらに、上記加熱層３５の面状ヒータ３２の代わりに超音波発生素子７１を用いるようにしてもよい。超音波発生素子７１を構成する材料としては、光を透過する材料であるチタン酸ジルコン酸鉛（ＰＺＴ）や、上記チタン酸ジルコン酸鉛（ＰＺＴ）にランタン（Ｌａ）を添加した材料、あるいは、圧電高分子材料であるＰＶＤＦ等を用いることができる。この場合、上記各素子の駆動は電圧駆動となるため抵抗ヒータ等に比して消費電力を激減させることができる。さらに、超音波発生素子７１の発信周波数および振幅で発熱量を制御することができるので、発生させる熱量の調節を高精度に行うことができる。
【００３０】
また、透明多孔質層１０の着色層２０の側とは反対側であって、透明多孔質層１０の複数の部分領域に対応する複数の位置のそれぞれに、互いに異なる色の色フィルタ５０を配置し、かつ、着色層２０を黒色に着色してカラー画像を表示させることもできる。すなわち、図８に示すように、透明多孔質層１０の表示側の、透明多孔質層１０の厚さ方向（図中矢印Ｚ方向）と直交する面内の互いに異なる領域であって面状ヒータ３２が配置されている領域に対応する領域のそれぞれに、互いに異なる色の色フィルタ５０を配置することによりカラー画像を表示させることもできる。より具体的には、例えば、上記領域Ｒａに対応する透明多孔質層１０の表示側の領域に赤色フィルタ５０ａを配置し、上記領域Ｒｂに対応する透明多孔質層１０の表示側の領域に青色フィルタ５０ｂを配置し、上記領域Ｒｃに対応する透明多孔質層１０の表示側の領域に緑色フィルタ５０ｃを配置する。そして、上記のように、透明多孔質層１０中の領域Ｒｂの液体４０が排出され、透明多孔質層１０中の領域Ｒａおよび領域Ｒｃに液体４０が浸透している状態において、白色の照明光Ｌａは青色フィルタ５０ｂを通って透明多孔質層１０中の不透明な領域Ｒｂで乱反射された後、再び青色フィルタ５０ｂを通って上記表示側に射出されるので、この領域Ｒｂが青色に表示される。一方、赤色フィルタ５０ａおよび緑色フィルタ５０ｃを通って領域Ｒａ、Ｒｃに入射した白色光は、透明多孔質層１０および加熱層３５を通って黒色の着色層２０に入射し吸収されるので、これらの領域Ｒａ、Ｒｃが黒色に表示される。したがって、加熱制御部３６の制御により、透明多孔質層１０中の各領域を透明にしたり不透明にしたりすることによりカラー画像を表示させることができる。
【００３１】
また、図９に示すように、上記黒色の着色層２０の代わりに、透明多孔質層１０の複数の部分領域のそれぞれに対応するように、複数の部分領域が互いに異なる色に着色された着色層２１を備えるようにしてカラー表示を行うこともできる。上記着色層２１はこの着色層２１中の上記対向方向と直交する面内における互いに異なる領域のそれぞれが互いに異なる色に着色されている。より具体的には、例えば、上記領域Ｒｂに対応する着色層２１中の領域２１ｂを青色に着色し、上記領域Ｒａおよび領域Ｒｃに対応する着色層２１中の領域２１ａ、２１ｃを赤色および緑色に着色する。そして、上記のように、透明多孔質層１０中の領域Ｒｂの液体４０が排出され、透明多孔質層１０中の領域Ｒａおよび領域Ｒｃに液体４０が浸透している状態において、白色の照明光Ｌａは透明多孔質層１０中の不透明な領域Ｒｂで乱反射され白色が表示される。一方、領域Ｒａ、Ｒｃに入射した照明光Ｌｅは、透明多孔質層１０および加熱層３５を通って着色層中の領域２１ａ、２１ｃでそれぞれ反射され、領域２１ａが赤色に、領域２１ｃが緑色に表示される。このようにしてカラー画像を表示させることもできる。
【００３２】
以下、本発明の第２の実施の形態の表示装置１０２について説明する。図１０は第２の実施の形態の表示装置の概略構成を示す斜視図、図１１は加熱手段の概略構成を示す斜視図、図１２は上記表示装置を図１０中の矢印Ｊ方向から見た断面図、図１３は透明多孔質層中の液体が移動して画像が表示される様子を上記図１０中の矢印Ｊ方向から見た断面図、図１４は透明多孔質層の表示側に互いに異なる色の色フィルタを配置した表示装置の構成を示す断面図である。なお、上記第1の実施の形態の表示装置１０１の要素と同様の要素に対しては同じ番号を付し、それらの説明は省略する。
【００３３】
第２の実施の形態の表示装置１０２は、透明多孔質層１０と、透明多孔質層１０における厚さ方向（図中矢印Ｚ方向）と直交する面内の互いに異なる領域を個別に加熱可能であって、透明多孔質層１０の一面側に積層される着色層を兼用する加熱手段６０とを備えている。なお、この表示装置１０２における透明多孔質層１０の側が表示側（図中矢印Ｈ１で示す）となっている。
【００３４】
加熱手段６０は、透明なガラス基板６１と、このガラス基板６１上にマトリクス状に配置された、縦２００μｍ、横２００μｍの黒色に塗装された多数の面状ヒータ６２と、各面状ヒータ６２に接続されたアルミニウムからなる電極６３ｙ、６３ｘと、電極６３ｙ、６３ｘと接続された各面状ヒータ６２に電力を供給するためのワード線６４ｙとビット線６４ｘとからなる加熱層６５、および、ワード線６４ｙとビット線６４ｘに接続され上記各面状ヒータ６２に供給する電力をアクティブ方式によりヒータ毎に個別に駆動するＴＦＴ（Ｔｈｉｎ  Ｆｉｌｍ  Ｔｒａｎｓｉｓｔｅｒ）素子６７と、上記ＴＦＴ素子を制御する加熱制御部６６とを備えている。なお、上記加熱層６５が着色層を兼用している。
【００３５】
なお、図１２は、面状ヒータ６２で加熱されることなく、透明多孔質層１０中に液体４０が均一に浸透している様子を示している。
【００３６】
図１３に示すように、加熱手段６０の加熱制御部６６の制御により面状ヒータ６２ｂによって透明多孔質層１０中の部分領域である領域Ｒｂが加熱されると、この領域Ｒｂに浸透している液体４０は、透明多孔質層１０中の加熱されていない領域、例えば面状ヒータ６２ａ、６２ｃに対応する領域Ｒａ、Ｒｃへ熱毛管力の作用によって排出される。
【００３７】
ここで、透明多孔質層１０中の液体４０が排出された上記領域Ｒｂは不透明となり、白色の照明光Ｌａで照明された透明多孔質層１０中の領域Ｒｂが上記照明光Ｌａを乱反射してこの透明多孔質層１０が白色に表示される。一方、透明多孔質層１０中の液体４０が浸透している領域Ｒａ、Ｒｃは、透明多孔質層１０と液体４０との屈折率整合により透明となり、領域Ｒａ、Ｒｃに入射した照明光Ｌａは、透明多孔質層１０を通して着色層である加熱層６５の黒色に塗装された面状ヒータ６２ａ、６２ｃに入射し吸収されて、これらの領域Ｒａ、Ｒｃが黒色に表示される。このように、加熱制御部６６の制御により、透明多孔質層１０中の各領域を透明にしたり不透明にしたりすることにより白黒の画像を表示させることができる。
【００３８】
また、図１４に示すように、透明多孔質層１０の表示側の、この透明多孔質層１０における厚さ方向（図中矢印Ｚ方向）と直交する面内の互いに異なる領域であって面状ヒータ３２が配置されている領域に対応する領域のそれぞれに、互いに異なる色の色フィルタ５０を配置することによりカラー画像を表示させることもできる。より具体的には、例えば、上記領域Ｒｂに対応する透明多孔質層１０の表示側に青色フィルタ５０ｂを配置し、上記領域Ｒａおよび領域Ｒｃに対応する透明多孔質層１０の表示側に赤色フィルタ５０ａおよび緑色フィルタ５０ｃを配置する。そして、上記のように、透明多孔質層１０中の領域Ｒｂの液体４０が排出され、透明多孔質層１０中の領域Ｒａおよび領域Ｒｃに液体４０が浸透している状態において、白色の照明光Ｌａは青色フィルタ５０ｂを通って透明多孔質層１０中の不透明な領域Ｒｂで乱反射された後、再び青色フィルタ５０ｂを通って上記表示側に射出されるので、この透明多孔質層１０が青色に表示される。一方、赤色フィルタ５０ａおよび緑色フィルタ５０ｃを通って領域Ｒａ、Ｒｃに入射した照明光Ｌｅは、透明多孔質層１０を通って着色層である加熱層６５の黒色に塗装された面状ヒータ６２ａ、６２ｃに入射し吸収されるので、これらの領域Ｒａ、Ｒｃが黒色に表示される。このように、加熱制御部６６の制御により、透明多孔質層１０中の各領域を透明にしたり不透明にしたりすることによりカラー画像を表示させることができる。
【図面の簡単な説明】
【００３９】
【図１】第１の実施の形態の表示装置の概略構成を示す斜視図
【図２】加熱手段の概略構成を示す斜視図
【図３】表示装置を図１中の矢印Ｊ方向から見た断面図
【図４】透明多孔質層中の液体が移動して画像が表示される様子を示す断面図
【図５】面状ヒータに印加する電圧と透明多孔質層の反射率との関係を示す図である。
【図６】発熱線を２次元状に配置して構成したヒータを示す断面図
【図７】透明多孔質層の表示側に封止用のカバーガラスを配置した表示装置の構成を示す断面図
【図８】透明多孔質層の表示側に互いに異なる色の色フィルタを配置した構成を示す断面図
【図９】複数種類の色に着色された着色層を備えた表示装置の構成を示す断面図
【図１０】第２の実施の形態の表示装置の概略構成を示す斜視図
【図１１】加熱手段の概略構成を示す斜視図
【図１２】表示装置を図１０中の矢印Ｊ方向から見た断面図
【図１３】透明多孔質層中の液体が移動して画像が表示される様子を示す断面図
【図１４】透明多孔質層の表示側に互いに異なる色の色フィルタを配置した構成を示す断面図
【符号の説明】
【００４０】
１０    多孔質層
１０    透明多孔質層
２０    着色層
３０    加熱手段
４０    液体
１０１    表示装置
【図１】
2005156813.tif 000003
【図２】
2005156813.tif 000004
【図３】
2005156813.tif 000005
【図４】
2005156813.tif 000006
【図５】
2005156813.tif 000007
【図６】
2005156813.tif 000008
【図７】
2005156813.tif 000009
【図８】
2005156813.tif 000010
【図９】
2005156813.tif 000011
【図１０】
2005156813.tif 000012
【図１１】
2005156813.tif 000013
【図１２】
2005156813.tif 000014
【図１３】
2005156813.tif 000015
【図１４】
2005156813.tif 000016